(57)【特許請求の範囲】
【請求項１】
重量平均分子量１００万以上の超高分子量ポリオレフィン又は重量平均分子量１００万以上の超高分子量ポリエチレンと重量平均分子量１万以上１００万未満のポリオレフィンとを必須成分とするポリオレフィン組成物からなる平均貫通孔径０．０１〜０．１０μｍ、バブルポイント≧９８０ＫＰａ、空孔率３０〜９５％であるポリオレフィン微多孔膜上に、ポリオレフィン短繊維を、占有面積が５〜３０％になるように、均一に分散させた後、積層することを特徴とする積層複合膜。
【請求項２】
重量平均分子量１００万以上の超高分子量ポリオレフィン又は重量平均分子量１００万以上の超高分子量ポリオレフィンと重量平均分子量１万以上１００万未満のポリオレフィンとを必須成分とするポリオレフィン組成物からなる平均貫通孔径０．０１〜０．１０μｍ、バブルポイント≧９８０ＫＰａ、空孔率３０〜９５％であるポリオレフィン微多孔膜上に、親水化されたポリオレフィン短繊維を、占有面積が５〜３０％になるように、均一に分散させた後、積層することを特徴とする積層複合膜。
【請求項３】
前記のポリオレフィン短繊維が、ポリプロピレン短繊維とポリエチレン短繊維の混合繊維であることを特徴とする請求項１又は２に記載の積層複合膜。
【請求項４】
突刺強度が１９８０ｍＮ／２５μｍ以上であることを特徴とする請求項１〜３のいずれか１項に記載の積層複合膜。
【請求項５】
厚さが１５〜２７μｍであることを特徴とする請求項１〜４のいずれか１項に記載の積層複合膜。
【請求項６】
熱収縮率が５％以下であることを特徴とする請求項１〜５のいずれか１項に記載の積層複合膜。
【請求項７】
請求項１〜６のいずれか１項に記載の積層複合膜を用いた電池セパレータ。
【請求項８】
請求項１〜６のいずれか１項に記載の積層複合膜を電池セパレータとして用いた電池。
【請求項９】
請求項１〜６のいずれか１項に記載の積層複合膜を用いたフィルター。
【発明の詳細な説明】
【０００１】
【発明の属する技術分野】
本発明は、ポリオレフィン微多孔膜の積層複合膜に関し、特に電池用セパレータ等に使用できる、薄膜で高透過性、かつ過充電時や加熱保持試験時の熱暴走を抑える溶融破断温度の優れた機能を有する積層複合膜に関する。
【０００２】
【従来の技術】
ポリオレフィン微多孔膜は、各種の分離膜や、電池用セパレーター、電解コンデンサー用セパレータ等に使用されている。特にリチウム電池においては、有機溶媒に不溶で電解質や電極活物質に安定なセパレーターとして多用されつつある。
ポリオレフィン微多孔膜としては、超高分子量のポリオレフィンを用いた高強度および高弾性の微多孔膜が用いられ、例えば、超高分子量ポリオレフィンを溶媒中で加熱溶解した溶液からゲル状シートを成形し、前記ゲル状シート中の溶媒量を脱溶媒処理により調整し、次いで加熱延伸した後、残留溶媒を除去することによる微多孔膜（特開昭６０−２４２０３５号公報他）、分子量分布が特定の値の超高分子量ポリオレフィンを含有するポリオレフィン組成物の高濃度溶液からの微多孔膜（特開平３−６４３３４号公報）等が提案されている。
【０００３】
ところで、最近のリチウムイオン電池用セパレータとしては、高容量化、電池特性、安全性、生産性を向上させることが求められてきている。
すなわち、▲１▼高容量化、電池特性の向上としては微多孔膜の透気度、電解液注液性、保液性を向上させ、容量増加、低温レート特性やサイクル特性を良好にすること、▲２▼安全性の向上としては電極が短絡して電池内部の温度が上昇した時に、発火等の事故が生じるのを防止するために、リチウムの発火以前に溶融してその孔を目詰りさせ電流をシャットダウンさせる機能、及びシャットダウン後に温度がさらに上昇してもセパレーター自身が流動・溶融（メルトダウン）せずに正極、負極の短絡を抑えて電池の発火、爆発を抑える機能を有し、過充電や加熱保存試験時の熱暴走を抑えること等が求められている。
しかし、ポリオレフィン微多孔膜単体では、電池セパレータとして用いた場合に、シャットダウン特性、メルトダウン特性ともに良好な、安全性に優れた電池セパレータは、必ずしも得られていない。
【０００４】
これらの問題を解決する方法として、ポリオレフィン微多孔膜にポリオレフィン不織布を積層した積層複合膜が、特開平７−２２０１４号公報、特開平９−３２６２５０号公報、特開平１０−５０２８８号公報、特開平１０−４４３４８号公報等に開示されているが、電池の高容量化に対応した高透過性で、薄膜化が達成されている複合膜は、未だ得られていない。
【０００５】
【発明が解決しようとする課題】
本発明の目的は、上記課題を解決するメルトダウン温度が高く、電池特性、安全性、生産性を向上させることのできる電池セパレータに相応しい積層複合膜を提供することにある。
【０００６】
【課題を解決するための手段】
本発明者らは、上記課題を解決すべく鋭意研究した結果、超高分子量ポリオレフィンからの特定の微多孔膜上に、ポリオレフィン短繊維を、占有面積が所定割合になるように、均一に分散させた後、積層することにより、電池特性、安全性、生産性を向上させることのできる電池セパレータに相応しい積層複合膜が得られることを見出し本発明に想到した。
【０００７】
すなわち、本発明は、重量平均分子量１００万以上の超高分子量ポリオレフィン又は重量平均分子量１００万以上の超高分子量ポリエチレンと重量平均分子量１万以上１００万未満のポリオレフィンとを必須成分とするポリオレフィン組成物からなる平均貫通孔径０．０１〜０．１０μｍ、バブルポイント≧９８０ＫＰａ、空孔率３０〜９５％であるポリオレフィン微多孔膜上に、ポリオレフィン短繊維を、占有面積が５〜３０％になるように、均一に分散させた後、積層することを特徴とする積層複合膜である。
【０００８】
また、本発明は、重量平均分子量１００万以上の超高分子量ポリオレフィン又は重量平均分子量１００万以上の超高分子量ポリオレフィンと重量平均分子量１万以上１００万未満のポリオレフィンとを必須成分とするポリオレフィン組成物からなる平均貫通孔径０．０１〜０．１０μｍ、バブルポイント≧９８０ＫＰａ、空孔率３０〜９５％であるポリオレフィン微多孔膜上に、親水化されたポリオレフィン短繊維を、占有面積が５〜３０％になるように、均一に分散させた後、積層することを特徴とする積層複合膜である。
【０００９】
さらに、本発明は、上記の積層複合膜を用いた電池セパレータ、電池、フィルターである。
【００１０】
本発明の好ましい態様を以下に示す。
（イ）重量平均分子量１００万以上の超高分子量ポリオレフィンがポリエチレン又はポリプロピレンである前記積層複合膜。
（ロ）超高分子量ポリオレフィンの重量平均分子量が１００万〜５００万である前記積層複合膜。
（ハ）重量平均分子量１万以上１００万未満のポリオレフィンがポリエチレン又はポリプロピレンである前記積層複合膜。
（ニ）重量平均分子量１００万以上の超高分子量ポリオレフィンと重量平均分子量１万以上１００万未満のポリオレフィンとを必須成分とするポリオレフィン組成物が、重量平均分子量１００万以上の超高分子量ポリエチレンと重量平均分子量１万以上１００万未満の高密度ポリエチレンとを必須成分である前記積層複合膜。
（ホ）重量平均分子量１００万以上の超高分子量ポリオレフィン又は重量平均分子量１００万以上の超高分子量ポリオレフィンと重量平均分子量１万以上１００万未満のポリオレフィンとを必須成分とするポリオレフィン組成物が超高分子量ポリエチレンと高密度ポリエチレンとシャットダウン機能を付与するポリマーからなり、当該シャットダウン機能を付与するポリマーが低密度ポリエチレン、重量平均分子量１０００〜４０００の低分子量ポリエチレン、シングルサイト触媒を用いて重合したエチレン−α−オレフィン共重合体のうち、少なくとも一種を含むことを特徴とする前記積層複合膜。
（ヘ）微多孔膜の突刺強度が１９８０ｍＮ／２５μｍ以上である前記積層複合膜。
（ト）微多孔膜の透気度５０〜９００ｓｅｃ／１００ｃｃである前記積層複合膜。
（チ）微多孔膜が界面活性剤により親水化されていることを特徴とする前記積層複合膜。
（リ）ポリオレフィン短繊維が、ポリオレフィン微多孔膜の上の占有面積が５〜６０％となるように均一分散されたものから不織布化したものである前記積層複合膜。
（ヌ）ポリオレフィン短繊維が、ポリエチレン繊維、ポリプロピレン繊維のいずれかから選ばれたことを特徴とする前記積層複合膜。
（ル）ポリオレフィン短繊維が、界面活性剤により親水化されていることを特徴とする前記積層複合膜。
（ヲ）積層複合膜の厚みが、５〜２００μｍ、中でも１５〜２７μｍである前記積層複合膜。
（ワ）積層複合膜の透気度が、５０〜９００ｓｅｃ／１００ｃｃである前記積層複合膜。
（カ）メルトダウン温度が、１７０℃以上である前記積層複合膜。
（ヨ）シャットダウン温度が、９０〜１４０℃である前記積層複合膜。
（タ）メルトダウン温度とシャットダウン温度との差が、６０〜８０℃である前記積層複合膜。
【００１１】
【発明の実施の形態】
本発明の積層複合膜を、構成微多孔膜、不織布、積層法について、以下に詳細に説明する。
１．ポリオレフィン微多孔膜
（１）超高分子量ポリオレフィン成分
本発明で用いるポリオレフィン微多孔膜は、重量平均分子量１００万以上、好ましくは重量平均分子量１００万〜５００万の超高分子量ポリオレフィン又は重量平均分子量１００万以上、好ましくは重量平均分子量１００万〜５００万の超高分子量ポリオレフィンと重量平均分子量１万以上１００万未満のポリオレフィン、好ましくは重量平均分子量１万以上５０万未満のポリオレフィンとからなる組成物から得られる。
超高分子量ポリオレフィンの重量平均分子量が１００万未満では、膜強度の低下が起こるので好ましくない。一方、上限は特に限定的ではないが５００万を超えるものは、微多孔膜の製造時のゲル状成形物の形成において成形性に劣る。
重量平均分子量１００万以上の超高分子量ポリオレフィンは、組成物として用いた場合は、２０重量％以上、好ましくは３０重量％以上含有されているのが好ましい。超高分子量ポリオレフィンの含有率が２０重量％未満では、高強度の微多孔膜を得ることができない。ポリオレフィンの重量平均分子量が１万未満であると、得られる微多孔膜の破断が起こりやすく、目的の微多孔膜が得られない。
【００１２】
なお、上記の超高分子量ポリオレフィン又は超高分子ポリオレフィンと重量平均分子量１万以上１００万未満のポリオレフィン組成物の分子量分布（重量平均分子量／数平均分子量）は３００以下が好ましく、特に５〜５０であるのが好ましい。分子量分布が３００を超えると、低分子量成分による破断が起こり膜全体の強度が低下するため好ましくない。ポリオレフィン組成物を用いる場合は、重量平均分子量が１００万以上の超高分子量ポリオレフィンと、重量平均分子量が１万以上１００万未満のポリオレフィンとを分子量分布が上記範囲となるように、適量混合することによって得ることができ、このポリオレフィン組成物は、上記重量平均分子量及び分子量分布を有していれば、多段重合によるものであっても、２種以上のポリエチレンよる組成物であっても、いずれでもよい。
【００１３】
このようなポリオレフィンとしては、エチレン、プロピレン、１−ブテン、４−メチル−ペンテン−１、１−ヘキセンなどを重合した結晶性の単独重合体、２段重合体、又は共重合体及びこれらのブレンド物等が挙げられる。これらのうちではポリプロピレン、ポリエチレン及びこれらの組成物等が好ましく、特に、重量平均分子量１００万以上の超高分子量ポリエチレンと、重量平均分子量１万以上１００万未満の高密度ポリエチレンとからなる組成物が好ましい。
【００１４】
また、本発明で用いるポリオレフィン微多孔膜では、上記ポリオレフィンの他に、リチウム電池等のセパレータとして用いた場合に低温でのシャットダウン機能を付与できるポリマーを配合することができる。
シャットダウン機能を付与できるポリマーとしては、低密度ポリエチレン、低分子量ポリエチレン、メタロセン触媒により得られるポリエチレン系共重合体等が挙げられる。
【００１５】
本発明において使用され得る低密度ポリエチレンとしては、高圧法による分岐状ポリエチレン（ＬＤＰＥ）及び低圧法による直鎖状の低密度ポリエチレン（ＬＬＤＰＥ）である。ＬＤＰＥの場合、その密度は、通常０．９１〜０．９３ｇ／ｃｍ３程度であり、またそのメルトインデックス（ＭＩ、１９０℃、２．１６ｋｇ荷重）は、０．１〜２０ｇ／１０分であり、好ましくは、０．５〜１０ｇ／１０分である。ＬＬＤＰＥの場合、その密度は、通常０．９１〜０．９３ｇ／ｃｍ３程度であり、またそのメルトインデックス（ＭＩ、１９０℃、２．１６ｋｇ荷重）は、０．１〜２５ｇ／１０分であり、好ましくは、０．５〜１０ｇ／１０分である。低密度ポリエチレンの配合割合は、重量平均分子量が５０万以上の超高分子量ポリオレフィンまたは組成物の５〜３０重量％であるのが好ましい。
【００１６】
本発明において使用され得る低分子量ポリエチレンとしては、分子量が１０００〜４０００、融点が８０〜１３０℃のエチレン低重合体であり、密度が０．９２〜０．９７ｇ／ｃｍ３のポリエチレンワックスが好ましい。低分子量ポリエチレンの配合割合は、重量平均分子量が５０万以上の超高分子量ポリオレフィン又はポリオレフィン組成物の５〜３０重量％であるのが好ましい。
【００１７】
また、本発明において使用され得る低温でのシャットダウン機能を付与できるメタロセン触媒により得られるポリエチレン系共重合体としては、メタロセン触媒のようなシングルサイト触媒を用いて重合された直鎖状エチレン−α−オレフィン共重合体、例えば、エチレン−ブテン−１共重合体、エチレン−ヘキセン−１共重合体、エチレン−オクテン−１共重合体等を挙げることができる。該エチレン−α−オレフィン共重合体の融点（ＤＳＣピーク温度）は、９５〜１２５℃、好ましくは１００℃〜１２０℃である。９５℃未満では高温条件での電池特性を著しく悪化させてしまい、１２５℃を超えると好ましい温度でシャットダウン機能を発揮しなくなるため、好ましくない。該エチレン・α−オレフィン共重合体の重量平均分子量Ｍｗと数平均分子量Ｍｎの比Ｍｗ／Ｍｎ（Ｑ値）は、１．５〜３．０、好ましくは１．５〜２．５であることが望ましい。このエチレン−α−オレフィン共重合体をポリエチレンまたはそのポリエチレン組成物に加えることにより、ポリエチレン微多孔膜をリチウム電池等のセパレーターとして用い、電極が短絡して電池内部の温度が上昇した時、低温でシャットダウンする機能を付与される。さらに、シャットダウン時の膜抵抗の温度依存性が飛躍的に改善される、さらにシャットダウン温度を自由にコントロールできる。エチレン−α−オレフィン共重合体の配合割合は、超高分子量ポリオレフィンまたは組成物の５〜３０重量％であるのが好ましい。
【００１８】
なお、上述したようなポリオレフィン又はポリオレフィン組成物には、必要に応じて、酸化防止剤、紫外線吸収剤、アンチブロッキング剤、顔料、染料、無機充填材などの各種添加剤を本発明の目的を損なわない範囲で添加することができる。
【００１９】
（２）ポリオレフィン微多孔膜の製造
本発明で用いるポリオレフィン微多孔膜は、上記超高分子量ポリオレフィン又はその組成物に有機液状体または固体を混合し、溶融混練後押出成形し、抽出、延伸を施すことにより得られる。また、樹脂成分および有機液状体または固体の混合物に無機微粉体を添加しても何等差し支えない。本発明のポリオレフィン微多孔膜を得る好ましい方法としては、ポリオレフィン組成物にポリオレフィンの良溶媒を供給しポリオレフィン組成物の溶液を調製して、この溶液を押出機のダイよりシート状に押し出した後、冷却してゲル状組成物を形成して、このゲル状組成物を延伸と残存溶媒の除去を行うことによりポリオレフィン微多孔膜を製造する。
【００２０】
本発明において、原料となるポリオレフィン組成物の溶液は、上述のポリオレフィン組成物を、溶媒に加熱溶解することにより調製する。この溶媒としては、ポリオレフィンを十分に溶解できるものであれば特に限定されない。例えば、ノナン、デカン、ウンデカン、ドデカン、流動パラフィンなどの脂肪族または環式の炭化水素、あるいは沸点がこれらに対応する鉱油留分などがあげられるが、溶媒含有量が安定なゲル状成形物を得るためには流動パラフィンのような不揮発性の溶媒が好ましい。
加熱溶解は、ポリオレフィン組成物が完全に溶解する温度で攪拌または押出機中で均一混合して溶解する方法で行う。その温度は、押出機中で溶媒中で攪拌しながら溶解する場合は使用する重合体及び溶媒により異なるが、例えば１４０〜２５０℃の範囲が好ましい。ポリオレフィン組成物の高濃度溶液から微多孔膜を製造する場合は、押出機中で溶解するのが好ましい。
【００２１】
押出機中で溶解する場合は、まず押出機に上述したポリオレフィン組成物を供給し、溶融する。溶融温度は、使用するポリオレフィンの種類によって異なるが、ポリオレフィンの融点＋２０〜１００℃が好ましい。ここで、融点とは、ＪＩＳ  Ｋ７１２１に基づき、ＤＳＣにより測定した値である（以下同じ）。例えば、ポリエチレンの場合は１６０〜２５０℃、特に１７０〜２３０℃であるのが好ましく、ポリプロピレンの場合は１９０〜２７０℃、特に１９０〜２５０℃であるのが好ましい。次に、この溶融状態のポリオレフィン組成物に対して、液状の溶媒を押出機の途中から供給する。
【００２２】
ポリオレフィン組成物と溶媒との配合割合は、ポリオレフィン組成物と溶媒の合計を１００重量％として、ポリオレフィン組成物が１０〜５０重量％、好ましくは１０〜４０重量％であり、溶媒が９０〜５０重量％、好ましくは９０〜６０重量％である。ポリオレフィン組成物が１０重量％未満では（溶媒が９０重量％を超えると）、シート状に成形する際に、ダイス出口で、スウエルやネックインが大きくシートの成形性、自己支持性が困難となる。一方、ポリオレフィン組成物が５０重量％を超えると（溶媒が５０重量％未満では）、厚み方向の収縮が大きくなり、成形加工性も低下する。この範囲において濃度を変えることにより、膜の透過性をコントロールすることができる。なお、加熱溶解にあたってはポリオレフィンの酸化を防止するために酸化防止剤を添加するのが好ましい。
【００２３】
次に、このようにして溶融混練したポリオレフィン組成物の加熱溶液を直接に、あるいはさらに別の押出機を介して、ダイス等から最終製品の膜厚が５〜１００μｍになるように押し出して成形する。ダイスは、通常長方形の口金形状をしたシートダイスが用いられるが、２重円筒状のインフレーションダイスなども用いることができる。シートダイスを用いた場合のダイスギャップは通常０．１〜５ｍｍであり、押し出し成形温度は１４０〜２５０℃である。この際押し出し速度は、通常２０〜３０ｃｍ／分ないし１０ｍ／分である。
【００２４】
このようにしてダイスから押し出された溶液は、冷却することによりゲル状組成物に成形される。冷却は少なくともゲル化温度以下までは５０℃／分以上の速度で行うのが好ましい。一般に冷却速度が遅いと、得られるゲル状組成物の高次構造が粗くなり、それを形成する疑似細胞単位も大きなものとなるが、冷却速度が速いと、密な細胞単位となる。冷却速度が５０℃／分未満では、結晶化度が上昇し、延伸に適したゲル状組成物となりにくい。冷却方法としては、冷風、冷却水、その他の冷却媒体に直接接触させる方法、冷媒で冷却したロールに接触させる方法などを用いることができる。なお、ダイスから押し出された溶液は、冷却前あるいは冷却中に好ましくは１〜１０、より好ましくは１〜５の引き取り比で引取ってもよい。引き取り比が１０以上になるとネックインが大きくなり、また延伸時に破断を起こしやすくなり好ましくない。
【００２５】
次に、このゲル状成形物を、延伸する。延伸は、ゲル状成形物を加熱し、通常のテンター法、ロール法、インフレーション法、圧延法もしくはこれらの方法の組み合わせによって所定の倍率で行う。延伸は一軸延伸でも二軸延伸でもよいが、二軸延伸が好ましい。また、二軸延伸の場合は、縦横同時延伸または逐次延伸のいずれでもよい。延伸温度はポリオレフィン組成物の融点＋１０℃以下である。また延伸倍率は、原反の厚さによって異なるが、二軸延伸では面倍率で９倍以上が好ましく、より好ましくは１６〜４００倍である。面倍率が９倍未満では延伸が不十分で高弾性、高強度の微多孔膜が得られない。一方、面倍率が４００倍を超えると、延伸操作などで制約が生じる。
【００２６】
次に、延伸された成形物を溶剤で洗浄し残留する溶媒を除去してポリオレフィン微多孔膜を得るが、残存溶媒の除去は、上記延伸工程の前、上記延伸工程の間、上記延伸工程の後のいずれであってもよいが、延伸工程の後に行うのが好ましい。洗浄溶剤としては、ペンタン、ヘキサン、ヘプタンなどの炭化水素、塩化メチレン、四塩化炭素などの塩素化炭化水素、三フッ化エタンなどのフッ化炭化水素、ジエチルエーテル、ジオキサンなどのエーテル類などの易揮発性のものを用いることができる。これらの溶剤はポリオレフィン組成物の溶解に用いた溶媒に応じて適宜選択し、単独もしくは混合して用いる。洗浄方法は、溶剤に浸漬し抽出する方法、溶剤をシャワーする方法、またはこれらの組合せによる方法などにより行うことができる。
【００２７】
上述のような洗浄は、延伸成形物中の残留溶媒が１重量％未満になるまで行う。その後洗浄溶剤を乾燥するが、洗浄溶剤の乾燥方法は加熱乾燥、風乾などの方法で行うことができる。乾燥した延伸成形物は、さらに熱固定することが望ましい。
【００２８】
熱固定は、必要に応じて、比較的高温で、生じる収縮を少なくとも一方向で防止するような応力下で行う。熱固定温度は、前記ポリオレフィン組成物の結晶融点＋３０℃以下の範囲にセットする。例えば、超高分子量ポリエチレンを含有する組成物では、１００〜１４０℃で、より好ましくは１１０〜１３０℃である。結晶融点＋３０℃を超えると、微多孔膜の強度が極端に低下したり、微多孔膜の溶解が起こるので形状の保持が困難となる。熱固定の時間は、特に制限がないが、０．１秒以上１００時間以下であることが好ましい。０．１秒未満では、熱固定の効果がほとんどなく、透気度はあまり向上しない。１００時間を超えると生産性が低下するだけでなく、樹脂の劣化も激しくなるので好ましくない。
【００２９】
（３）ポリオレフィン微多孔膜の物性
上記の方法で得られたポリオレフィン微多孔膜は、次の物性を有しているのが好ましい。
（ｉ）平均貫通孔径
ポリオレフィン微多孔膜の平均貫通孔径は、好ましくは０．０１〜０．１０μｍである。平均貫通孔径が０．０１μｍ未満では、透過性が低下しすぎるし、０．１０μｍを超えると電池セパレータとして用いた場合に、デンドライト成長による短絡が起こりやすくなり、電圧降下等の不良を起こしやすくなる。
【００３０】
（ｉｉ）空孔率
ポリオレフィン微多孔膜の空孔率は、３０〜９５％、好ましくは４０〜８０％である。空孔率が３０％未満では、ポリオレフィン微多孔膜を電池セパレータとして用いた場合には、イオン導電性が悪く、特に低温での電池容量、サイクル特性といった電池特性が悪くなる。一方、９５％を超えると、膜の強度自身が低くなりすぎとなり、それぞれ好ましくない。
【００３１】
（ｉｉｉ）透気度
ポリオレフィン微多孔膜の透気度は、５０〜９００ｓｅｃ／１００ｃｃ、好ましくは５０〜７００ｓｅｃ／１００ｃｃである。透気度を９００ｓｅｃ／１００ｃｃ以下にすることにより、ポリオレフィン微多孔膜を電池セパレータとして用いた場合には、イオン透過能力が向上するので、低温レート特性、高容量を達成できる。
【００３２】
（ｉｖ）突刺強度
ポリオレフィン微多孔膜の突刺強度は、１９８０ｍＮ／２５μｍ以上が好ましく、より好ましくは３９６０ｍＮ／２５μｍ以上である。突刺強度が１９８０ｍＮ／２５μｍ未満では、ポリオレフィン微多孔膜を電池セパレータとして用いた場合には、微少短絡による不良が起こりやすい。
【００３３】
（ｖ）バブルポイント
ポリオレフィン微多孔膜のバブルポイントは、９８０ＫＰａ以上、好ましくは１４７０ＫＰａ以上、最も好ましくは１４７００ＫＰａ以上である。バブルポイントが９８０ＫＰａ未満では、ポリオレフィン微多孔膜を電池セパレータとして用いた場合には、孔が大きくなりすぎてデンドライト成長によって電圧降下や自己放電等の不良が発生するので好ましくない。
【００３４】
（ｖｉ）膜厚
ポリオレフィン微多孔膜の膜厚は、２〜５０μｍである。膜厚が５μｍ以下では、破膜しやすく、５０μｍを超えると、透過性が低くなり好ましくない。
【００３５】
さらに、上記で得られたポリオレフィン微多孔膜は、必要に応じて、ノニオン系界面活性剤等で処理して親水化などの表面修飾を施すことが好ましく、中でもポリエチレンオキシド、ポリプロピレンオキシドを用いて親水化できる。親水処理を施した微多孔膜は、電解液との親和性が高くなるため好ましい。
【００３６】
２．ポリオレフィン短繊維
積層体に用いるポリオレフィン短繊維とは、湿式不織布、乾式不織布等に用いるポリオレフィンを紡糸−延伸−切断して得た短繊維である。
ポリオレフィン短繊維のポリオレフィンとしては、エチレン、プロピレン、１−ブテン、４−メチル−ペンテン−１、１−ヘキセンなどを重合した結晶性の単独重合体、２段重合体、又は共重合体及びこれらのブレンド物等が挙げられる。特に、ポリプロピレン短繊維とポリエチレン短繊維の混合繊維を用いるのが好ましい。これにより、メルトダウン温度を向上させ、シャットダウン温度を低下させる効果がある。
【００３７】
なお、ポリオレフィン短繊維は、必要に応じて、ノニオン系界面活性剤等で処理して親水化などの表面修飾を施すことが好ましく、中でもポリエチレンオキシド、ポリプロピレンオキシドを用いて親水化できる。親水処理を施した微多孔膜は、電解液との親和性が高くなるため好ましい。
【００３８】
３．積層体の製造方法
本発明の積層複合膜は、上記ポリオレフィン微多孔膜上に上記ポリオレフィン短繊維を、均一分散させた後、積層工程においてポリオレフィン短繊維を不織布化して積層複合膜とすることによって得られる。
【００３９】
ポリオレフィン微多孔膜上にポリオレフィン短繊維を均一に分散させて積層処理をする場合、ポリオレフィン短繊維がポリオレフィン微多孔膜の表面を５〜６０％、中でも５〜３０％占有するように分散させるのが好ましい。占有面積が５％以下では、繊維同士のネットワークがなくなるため、メルトダウン温度が十分に上昇しないため好ましくなく、６０％を超えると透過性が低下するので好ましくない。
【００４０】
積層体は、ポリオレフィン微多孔膜にポリオレフィン短繊維を均一に散布した後、カレンダー処理により行う。
カレンダー処理は、ポリオレフィン短繊維をポリオレフィン微多孔膜に散布した後、積層加熱圧縮ロールで５０〜１４０℃、好ましくは９０〜１２０℃で、ロール圧力は４９０〜２７４０ＫＰａ、好ましくは４９０〜１９６０ＫＰａで積層体とする。加熱圧縮ロールの温度は１４０℃を超えると微多孔膜の透過性が損なわれ好ましくなく、５０℃未満では適度な接着強度が得られない。
【００４１】
本発明の複合積層膜は、微細な変形が容易に起き、適度な温度範囲の処理においては、微多孔膜の孔径、空孔率、透過性を変化させることなく、また膜表面に存在する孔をつぶすことなく、積層の相手側の多孔性膜の繊維に応じた微妙な凹凸を生じせしめることのできる特徴を有している。
積層は、微多孔膜／ポリオレフィン短繊維の２層、ポリオレフィン短繊維／微多孔膜／ポリオレフィン短繊維の３層のように微多孔膜の片側又は両側にポリオレフィン短繊維を積層してもよい。
【００４２】
４．積層複合膜の物性
上記のようにして得られた本発明の積層複合膜は、次の物性を有している。
（ｉ）シャットダウン温度及びメルトダウン温度
本発明の積層複合膜を電池セパレータとして用いた場合には、シャットダウン温度は、９０〜１４０℃、好ましくは９０〜１３５℃である。シャットダウン温度が９０℃未満では、熱的安定性が低くなりすぎ、１４０℃を超えると、セパレーターとして使用した場合に外部短絡などで大きな電流が流れた時に電池の温度上昇を抑えることができないので好ましくない。
また、メルトダウン温度は、１７０℃以上、好ましくは１７５℃以上である。メルトダウン温度が１７０℃未満では、電池熱暴走時に電極が直接接触するため好ましくない。
さらに、シャットダウン温度とメルトダウン温度との差が６０〜８０℃であることが好ましい。
【００４３】
（ｉｉ）突刺強度
本発明の積層複合膜の突刺強度は、１９８０ｍＮ／２５μｍ以上が好ましく、より好ましくは２４７０ｍＮ／２５μｍ以上である。突刺強度が１９８０ｍＮ／２５μｍ未満では、積層複合膜を電池セパレータとして用いた場合には、微少短絡による不良が起こりやすい。
【００４４】
（ｉｉｉ）平均貫通孔径
本発明の積層複合膜の平均貫通孔径は、好ましくは０．０１〜０．１０μｍである。平均貫通孔径が０．０１μｍ未満では、透過性が低下しすぎるし、０．１０μｍを超えると電池セパレータとして用いた場合に、デンドライト成長による短絡が起こりやすくなり、電圧降下等の不良を起こしやすくなる。
【００４５】
（ｉｖ）空孔率
本発明の積層複合膜の空孔率は、３０％以上が好ましく、特に好ましくは３５％以上である。空孔率が３０％未満では、積層複合膜を電池セパレータとして用いた場合には、電解液枯れを起こし、サイクル特性といった電池特性が悪くなる。
【００４６】
（ｖ）透気度
本発明の積層複合膜の透気度は、９００ｓｅｃ／１００ｃｃ以下、好ましくは７００ｓｅｃ／１００ｃｃ以下である。透気度を９００ｓｅｃ／１００ｃｃ以下にすることにより、積層複合膜を電池セパレータとして用いた場合には、イオン透過能力が向上するので、低温レート特性、高容量を達成できる。
【００４７】
（ｖｉ）熱収縮率
本発明の積層複合膜の熱収縮率は、５％以下であることが好ましい。５％を超えると電池セパレータとして用いた場合に電池異常昇温時に電極が露出しやすいため好ましくない。
【００４８】
（ｖｉｉ）注液速度比
本発明の積層複合膜の注液速度比は、超高分子量ポリエチレン又はその組成物のみからなる微多孔膜を基準として１と表した場合の積層複合膜への電解液注入の速さを表す指標であり、値が小さいほど電解液を吸収しやすく、０．９以下が好ましい。
【００４９】
（ｖｉｉｉ）注液量
本発明の積層複合膜の注液量は、超高分子量ポリエチレン又はその組成物のみからなる微多孔膜を基準として１００と表した場合の積層複合膜への電解液の注液量を表す指標であり、値が大きいほど電解液の保持能力は大きく、１１０以上が好ましい。
【００５０】
本発明の積層複合膜は、上記の物性を有しているため、メルトダウン温度が高く、高強度であり、電池用セパレーターとして、安全性の高い、かつ生産性の高い複合膜膜である。また、液体フィルター等として好適に用いることができる。
【００５１】
【実施例】
以下に本発明について実施例を挙げてさらに詳細に説明するが、本発明は実施例に特に限定されるものではない。なお、実施例における試験方法は次の通りである。
（１）膜厚：断面を走査型電子顕微鏡により測定した。
（２）透気度：ＪＩＳ  Ｐ８１１７に準拠して測定した。
（３）平均貫通孔径：コールターポロメーター（コールター社製）により測定した。
（４）空孔率：重量法により測定した。
（５）突刺強度：２５μｍ厚の微多孔膜を直径１ｍｍ（０．５ｍｍＲ）の針を２ｍｍ／ｓｅｃで突き刺し、破断したときの荷重を測定した。
（６）引張強度：幅１０ｍｍの短冊状試験片の破断強度をＡＳＴＭ  Ｄ８２２に準拠して測定した。
（７）バブルポイント：ＡＳＴＭ  Ｅ−１２８−６１に準拠してエタノール中にて測定した。なお、「なし」とは、測定限界値を超え、１４７００ＫＰａ（１５０ｋｇ／ｃｍ２）以上を意味する。
【００５２】
（８）熱収縮率：膜を１０５℃の雰囲気下に８時間放置し、ＭＤ方向およびＴＤ方向のそれぞれの長さの変化から求めた。
（９）注液速度比：内径１４ｍｍφ×６５ｍｍ長の筒状容器に外径１３ｍｍφに巻き込んだセパレーターを挿入、その容器に５ｍｌの電解液を注入するのに要する時間を測定し、比較例１の結果との比として求めた。なお、電解液としては、プロピレンカーボネート（ＰＣ）：ジエチレンカーボネート（ＤＥＣ）＝１：１を用い、電解液注液装置は、宝泉（株）製ラボ用電解液真空注入機を使用した。
（１０）注液量：注液速度比と同じ装置、方法で、３０秒間に注入できる電解液量を測定し、比較例１の値を１００とした場合の比として表した。
（１１）シャットダウン温度：所定温度に加熱することによって、透気度が１０万ｓｅｃ／１００ｃｃ以上となる温度として測定した。
（１２）メルトダウン温度：所定温度に加熱することによって、膜が溶けて破膜する温度として測定した。
【００５３】
実施例１
重量平均分子量が２００万の超高分子量ポリエチレン（ＵＨＭＷＰＥ）２０重量％、重量平均分子量が３５万の高密度ポリエチレン（ＨＤＰＥ）８０重量％からなる組成物１００重量部に酸化防止剤０．３７５重量部を加えたポリエチレン組成物（融点１３５℃）を得た。このポリエチレン組成物３０重量部を二軸押出機（５８ｍｍφ、Ｌ／Ｄ＝４２、強混練タイプ）に投入した。またこの二軸押出機のサイドフィーダーから流動パラフィン７０重量部を供給し、２００ｒｐｍで溶融混練して、押出機中にてポリエチレン溶液を調製した。
続いて、この押出機の先端に設置されたＴダイから１９０℃で押し出し、冷却ロールで引取りながらゲル状シートを成形した。続いてこのゲル状シートを、１１５℃で５×５倍に同時２軸延伸を行い、延伸膜を得た。得られた延伸膜を塩化メチレンで洗浄して残留する流動パラフィンを抽出除去した後、乾燥および１２２℃で熱セットを行い２５μｍ厚のポリエチレン微多孔膜を得た。このポリオレフィン微多孔膜の組成及び製造条件、物性値を表１に示す。
次に得られたポリエチレン微多孔膜の上に、繊維径２デニール、繊維長５１ｍｍのポリオレフィン短繊維（ポリエチレン短繊維とポリプロピレン短繊維との混合物をいう。以下同じ。）を占有面積が５％になるように均一にばらまき、温度１１５℃、圧力９８０ＫＰａの条件で積層し積層複合膜を得た。得られた積層複合膜の物性評価の結果を表２に示す。
【００５４】
実施例２
繊維径２デニール、繊維長５１ｍｍのポリオレフィン短繊維を占有面積が１５％になるように均一にばらまく以外は、実施例1と同様にして積層複合膜を得た。得られた積層複合膜の物性評価の結果を表１及び表２に示す。
【００５５】
実施例３
繊維径２デニール、繊維長５１ｍｍのポリオレフィン短繊維を占有面積が３０％になるように均一にばらまく以外は、実施例1と同様にして積層複合膜を得た。得られた積層複合膜の物性評価の結果を表１及び表２に示す。
【００５６】
実施例４
ポリオレフィン微多孔膜の最終厚みが２０μｍになるようにゲル状シートの厚みを調節する以外は、実施例３と同様にして積層複合膜を得た。得られた積層複合膜の物性評価の結果を表１及び表２に示す。
【００５７】
実施例５
界面活性剤（ＰＥＧ）で処理した繊維径２デニール、繊維長５１ｍｍのポリオレフィン短繊維を占有面積が１５％になるように均一にばらまく以外は、実施例１と同様にして積層複合膜を得た。得られた積層複合膜の物性評価の結果を表１及び表２に示す。
【００５８】
実施例６
ポリオレフィン微多孔膜の最終厚みが８μｍになるようにゲル状シートの厚みを調節する以外は実施例１と同様にしてポリオレフィン微多孔膜を調製し、繊維径２デニール、繊維長５１ｍｍのポリオレフィン短繊維を占有面積が３０％になるように均一にばらまく以外は、実施例１と同様にして積層複合膜を得た。得られた積層複合膜の物性評価の結果を表１及び表２に示す。
【００５９】
比較例１
重量平均分子量が２００万の超高分子量ポリエチレン（ＵＨＭＷＰＥ）２０重量％、重量平均分子量が３５万高密度ポリエチレン（ＨＤＰＥ）８０重量からなる組成物１００重量部に酸化防止剤０．３７５重量部を加えたポリエチレン組成物（融点１３５℃）を得た。このポリエチレン組成物３０重量部を二軸押出機（５８ｍｍφ、Ｌ／Ｄ＝４２、強混練タイプ）に投入した。またこの二軸押出機のサイドフィーダーから流動パラフィン７０重量部を供給し、２００ｒｐｍで溶融混練して、押出機中にてポリオレフィン溶液を調製した。
続いて、この押出機の先端に設置されたＴダイから１９０℃で押し出し、冷却ロールで引取りながらゲル状シートを成形した。続いてこのゲル状シートを、１１５℃で５×５倍に同時２軸延伸を行い、延伸膜を得た。得られた延伸膜を塩化メチレンで洗浄して残留する流動パラフィンを抽出除去した後、乾燥および１２２℃で熱セットを行いポリオレフィン微多孔膜を得た。このポリオレフィン微多孔膜の組成及び製造条件を表１に示し、物性評価の結果を表１及び表２に示す。
【００６０】
【表１】
0004374105.tif 000002
【００６１】
【表２】
0004374105.tif 000003
【００６２】
【発明の効果】
本発明の積層複合膜は、高強度、メルトダウン温度が高い積層複合膜であるので、電池用セパレーターとして用いた場合、電池特性、安全性、生産性を向上させることができ、特に過充電、加熱保持試験時の熱暴走を防止または低減する機能を有する。また、高い膜強度を合わせ持つため、電極充填密度を挙げても短絡することが少なく、充放電時の圧縮による短絡も発生し難いため、リチウム電池用セパレーターとして用いる場合は安全性の点でおおいに信頼できる、さらにフィルターとしても好適に用いることができる。